(57)【要約】【課題】接続部材と電源カバーとを機械的に一体化することによって、接続部材を含む周辺構造体の小型化及びコンパクト化することができる照明器具を提供すること。【解決手段】被取付部と照明装置本体とを接続する接続具と、照明装置本体に配置した照明光源と、を備える照明器具であって、接続具は、被取付部に取り付ける接続部材と、被取付部からの外部電源を直流に変更する電源回路と、電源回路を覆う電源カバーと、一端側を電源回路と接続しかつ他端側を照明装置本体に接続した給電コードと、接続部材と電源回路とを覆うカバーと、を備え、接続部材と電源カバーとを機械的に一体化した。【選択図】図１
2017016899.tif 000002
【特許請求の範囲】
【請求項１】
被取付部と照明装置本体とを接続する接続具と、
前記照明装置本体に配置した照明光源と、
を備える照明器具であって、
前記接続具は、
前記被取付部に取り付ける接続部材と、
前記被取付部からの外部電源を直流に変更する電源回路と、
前記電源回路を覆う電源カバーと、
一端側を前記電源回路と接続しかつ他端側を前記照明装置本体に接続した給電コードと、
前記接続部材と前記電源回路とを覆うカバーと、
を備え、
前記接続部材と前記電源カバーとを機械的に一体化した照明器具。
【請求項２】
前記接続具は、
前記給電コードの長さを調節するコード調節具を備える
請求項１に記載の照明器具。
【請求項３】
前記コード調節具は、
前記給電コードの一部を前記カバーの内部で纏めるように前記カバーの内部に位置する
請求項２に記載の照明器具。
【請求項４】
前記コード調節具は、
前記電源回路と前記照明装置本体とを接続する前記給電コードの前記カバーと前記照明装置本体との距離に相当する有効長さを調節する
請求項２〜請求項３の何れか１の請求項に記載の照明器具。
【請求項５】
前記接続部材は、
前記被取付部に着脱可能に取り付ける引掛シーリングプラグである
請求項１〜請求項４の何れか１の請求項に記載の照明器具。
【発明の詳細な説明】
【技術分野】
【０００１】
本発明は、照明器具、特に、給電コードによって照明装置本体を吊り下げ状態で支持した照明器具に関する。
【背景技術】
【０００２】
従来、例えば、天井に設置した被取付部の外部電源と係合した電源装置に一端を係合した給電コードにより、照明装置本体を吊り下げ状態で支持する照明器具が周知である。
【０００３】
このような照明器具では、使用者の間取り、天井高、身長等によって照明装置本体の高さを調節するため、給電コードの長さを調整具によって用いて調節可能としている。この際、給電コードは接続部材を覆うカバーの内部等に余剰の給電コードを収納している（例えば、特許文献１参照）。
【先行技術文献】
【特許文献】
【０００４】
【特許文献１】特開２０１４−２２０１７９公報
【発明の概要】
【発明が解決しようとする課題】
【０００５】
しかしながら、このような余剰の給電コードをカバーの内部に収納する際、照明装置には外部電流（交流）を直流に変換する電源回路を配置しているため、接続部材から照明装置本体への電力供給のための給電コードが細径化されているが、結果的にカバーの内部に収納した給電コードの熱がカバーの内部に滞留し易く、カバーの大型化の要因となってしまう。
【０００６】
しかしながら、細径化した給電コードをカバーの内部に収納したとしても、今度は接続部材側に電源回路を配置することから、結果的に接続部材を含む周辺構造体が大型化する要因となってしまうという新たな問題が発生してしまう。
【０００７】
本発明は、上述のような課題を解決するために、接続部材を含む周辺構造体の小型化及びコンパクト化することができる照明器具を提供することを目的とする。
【課題を解決するための手段】
【０００８】
本発明に係る照明器具は、上記目的を達成するため、被取付部と照明装置本体とを接続する接続具と、照明装置本体に配置した照明光源と、を備える照明器具であって、接続具は、被取付部に取り付ける接続部材と、被取付部からの外部電源を直流に変更する電源回路と、電源回路を覆う電源カバーと、一端側を電源回路と接続しかつ他端側を照明装置本体に接続した給電コードと、接続部材と電源回路とを覆うカバーと、を備え、接続部材と電源カバーとを機械的に一体化したものである。
【発明の効果】
【０００９】
本発明によれば、接続部材と電源カバーとを機械的に一体化することによって、接続部材を含む周辺構造体の小型化及びコンパクト化することができる。
【図面の簡単な説明】
【００１０】
【図１】本発明の一実施の形態に係る照明器具の側面図である。
【図２】本発明の一実施の形態に係る照明器具の斜視図である。
【図３】本発明の一実施の形態に係る照明器具の要部の断面図である。
【図４】本発明の一実施の形態に係る照明器具に適用される電源回路部の斜視図である。
【図５】本発明の一実施の形態に係る照明器具に適用される接続具の縦断面図である。
【図６】本発明の一実施の形態に係る他の照明器具の側面図である。
【図７】本発明の一実施の形態に係る照明器具に適用される他の接続具の縦断面図である。
【発明を実施するための形態】
【００１１】
＜概要＞
本発明の一態様に係る照明器具は、被取付部と照明装置本体とを接続する接続具と、照明装置本体に配置した照明光源と、を備える照明器具であって、接続具は、被取付部に取り付ける接続部材と、被取付部からの外部電源を直流に変更する電源回路と、電源回路を覆う電源カバーと、一端側を電源回路と接続しかつ他端側を照明装置本体に接続した給電コードと、接続部材と電源回路とを覆うカバーと、を備え、接続部材と電源カバーとを機械的に一体化したものである。
【００１２】
他の一態様に係る照明器具において、接続具は、給電コードの長さを調節するコード調節具を備える。
【００１３】
他の一態様に係る照明器具において、コード調節具は、給電コードの一部をカバーの内部で纏めるようにカバーの内部に位置する。
【００１４】
他の一態様に係る照明器具において、コード調節具は、電源回路と照明装置本体とを接続する給電コードのカバーと照明装置本体との距離に相当する有効長さを調節する。
【００１５】
他の一態様に係る照明器具において、接続部材は、被取付部に着脱可能に取り付ける引掛シーリングプラグである。
【００１６】
＜実施の形態＞
次に、本発明の一実施形態に係る照明器具をペンダントライト型の照明器具に適用し、図面を参照して説明する。なお、以下に示す実施の形態は本発明の照明器具における好適な具体例であり、技術的に好ましい種々の限定を付している場合もあるが、本発明の技術範囲は、特に本発明を限定する記載がない限り、これらの態様に限定されるものではない。また、以下に示す実施の形態における構成要素は適宜、既存の構成要素等との置き換えが可能であり、かつ、他の既存の構成要素との組み合せを含む様々なバリエーションが可能である。したがって、以下に示す実施の形態の記載をもって、特許請求の範囲に記載された発明の内容を限定するものではない。
【００１７】
図１及び図２において、照明器具１は、図示を略すローゼット等の被取付部と照明装置本体２とを接続する接続具３と、接続具３を介して照明装置本体２を吊り下げ状態で支持する給電コード４と、を備える。
【００１８】
照明装置本体２は、例えば、円盤状であって図示を略す多数のＬＥＤ光源を配置した光源基板５を収納したハウジング６と、ハウジング６に装着してＬＥＤ光源から照射した照明光束を拡散するレンズカバー７と、を備える。なお、照明装置本体２の詳細な構成の図示及び説明は公知の技術を適用することができるため、ここでは省略する。
【００１９】
図３に示すように、接続具３は、ローゼット等の被取付部に取り付ける接続部材としてのシーリングプラグ１１と、被取付部からの外部電源を直流に変更する電源回路１２を搭載した電源回路基板１３と、電源回路１２を覆う電源カバー１４と、一端側を電源回路１２と接続しかつ他端側を照明装置本体２に接続した接続コード１５，１６と、シーリングプラグ１１と電源回路１２とを覆うカバー１７（図１及び図２に図示）と、給電コード４の長さを調節するコード調節具１８と、を備える。
【００２０】
シーリングプラグ１１は、先端を互いに内向きとして被取付部に着脱可能に取り付ける一対の引掛爪１１ａ，１１ｂを有している。引掛爪１１ａは、例えば、高電位側用として電源回路基板１３に接続し、引掛爪１１ｂは、例えば、低電位側用として電源回路基板１３に接続している。
【００２１】
電源回路１２は、例えば、交流の外部電源をシーリングプラグ１１から電力供給し、図示しないノイズフィルタや全波整流器によって直流に変換する機能を有している。図４に示すように、電源回路１２は、シーリングプラグ１１を構成する金属部材からなる高電位側の引掛爪１１ａと絶縁性の伝道部材を介して密着した状態で電源回路基板１３に固定している。これにより、電源回路１２の部品は、外部電源の電力を照明装置２に給電する際に発熱を伴う電子部材となっているが、金属部材からなる引掛爪１１ａを放熱部材として利用することができる。
【００２２】
電源カバー１４は、電源回路基板１３の下側を覆うロアカバー１４Ａと、電源回路基板１３の上側を覆うアッパカバー１４Ｂと、を備えており、全体として略円筒形状に構成している。また、電源カバー１４は、アッパカバー１４Ｂの上面中心に形成した開口を覆うと共に引掛爪１１ａ，１１ｂの先端部分を突出させた蓋体１４Ｃを備える。これにより、電源カバー１４は、シーリングプラグ１１、電源回路１２、電源回路基板１３を含むユニットとすることができる。また、電源回路１２を照明装置本体２ではなく接続具３の電源カバー１４の内部に配置したことから、交流電流を直流電流に変換済の電極供給のための接続コード１５，１６の細径化に貢献することができ、結果的に給電コード４の細径化を実現することができる。
【００２３】
接続コード１５，１６は、例えば、一方の接続コード１５を高電位側として引掛爪１１ａに接続しており、他方の接続コード１６を低電位側として引掛爪１１ｂに接続している。接続コード１５，１６は、電源回路基板１３の裏面側において接続ブラケット１９を介して給電コード４としている。
【００２４】
図１に示すように、コード調節具１８は、電源回路１２と照明装置本体２とを接続する給電コード４のカバー１７と照明装置本体２との距離（高さ)Ｔに相当する有効長さを調節する。図３に示すように、この際、コード調節具１８は、給電コード４の一部をカバー１７の内部で纏めるようにカバー１７の内部に位置している。
【００２５】
カバー１７は、天井に配置した被取付部としてのローゼット（図示せず）に係合させた取り付け状態において、シーリングプラグ１１を含む接続具３の上面を除く全体を覆っている。カバー１７は、照明装置本体２を給電コード４で吊持している状態で可撓性を有する給電コード４の軸線に沿って進退動可能である。
【００２６】
図５に示すように、コード調節具１８は、ロアカバー１４Ａと一体に形成したコード収納軸２０と、コード収納軸２０の下端に接続したコード案内具２１と、コード収納軸２０の下端でコード案内具２１と係合する下蓋２２と、カバー１７の底部に配置して下方に向けて径縮する締付具２３と、を備える。
【００２７】
コード収納軸２０は、給電コード４を螺旋状に巻き付けるように上下方向に沿って軸線を有する有底円筒形状の巻付部２０ａと、中心に下端貫通穴２０ｂを改正した底部２０ｃと、を一体に備える。
【００２８】
巻付部２０ａは、軸線方向に沿って中空である。下端貫通穴２０ｂは、底部２０ｃを給電コード４が貫通するとともに側面に向けて開放している。巻付部２０ａは、給電コード４の中途部を引き出すことができるように、軸線方向に沿う開口長さ及び周方向に沿う開口幅を有するスリット（図示せず）を形成している。
【００２９】
コード案内具２１は、上端を軸線周りで相対回転可能となるようにコード収納軸２０の底部２０ｃと係合する係合部２１ａと、給電コード４を貫通させる軸部２１ｂと、軸部２１ｂの下端に軸線方向に沿って延在して形成した一つ以上の先割スリット部２１ｃと、を一体に備える。なお、底部２０ｃと係合部２１ａとは、係合すると固定される形状となっており、さらに、軸部２１ｂの外周は雄ネジとなっている。
【００３０】
下蓋２２は、コード案内具２１の軸部２１ｂと螺合する雌ネジを形成した内筒部２２ａと、コード収納軸２０の下端と係合する外筒部２２ｂと、を一体に備える。下蓋２２は、内筒部２２ａの上端とコード収納軸２０の底部２０ｃとコード案内具２１の係合部２１ａの下端と係合することにより、コード収納軸２０に対するコード案内具２１の相対回転を規制する。したがって、外筒部２２ｂの内径はコード収納軸２０の下端の外径よりもやや大径としてコード収納軸２０と内接するのが望ましい。この際、その径の差は、下蓋２２の樹脂材料及び外筒部２２ｂの肉厚等の強度によって決定する。
【００３１】
締付具２３は、コード案内具２１の軸部２１ｂの下端と螺合するように少なくとも上端寄りの一部に雌ネジを形成するとともに下端に向けて徐々に縮径する貫通穴２３ａを軸線方向に沿って形成している。これにより、締付具２３は、貫通穴２３ａの上端を軸部２１ｂの下端に螺合させることによってコード案内具２１に保持させることができる。この際、コード案内具２１の軸部２１ｂの下端は、先割スリット部２１ｃにより縮径しつつ給電コード４の中途部を締め付けて保持する。締付具２３の上端は、カバー１７の底壁１７ａと当接することによってカバー１７を位置決めする。
【００３２】
上記の構成において、給電コード４をコード収納軸２０に巻き付けるには、締付具２３とコード案内具２１との螺合状態を解除した後に、コード案内具２１の係合部２１ａとコード案内具２１の下端貫通穴２０ｂとの係合状態を解除する。
【００３３】
これにより、給電コード４の下端側にコード案内具２１を給電コード４をガイドとして移動させ、所望の位置で給電コード４の中途部に巻き取り部分を設定する。
【００３４】
そして、この巻き取り部分をコード収納軸２０に巻き付けた後、再びコード案内具２１の係合部２１ａとコード案内具２１の下端貫通穴２０ｂとを係合させ、締付具２３とコード案内具２１とを螺合させる。
【００３５】
このような基本構成において、本実施形態の照明器具１は、被取付部（ローゼット）と照明装置本体２とを接続する接続具３と、照明装置本体２の光源基板５に配置した照明光源（図示せず）と、を備え、接続具３は、被取付部に取り付けるシーリングプラグ１１と、被取付部からの外部電源を直流に変更する電源回路１２と、電源回路１２を覆う電源カバー１４と、一端側を電源回路１２と接続しかつ他端側を照明装置本体２に接続した給電コード４と、シーリングプラグ１１と電源回路１２とを覆うカバー１７と、を備え、シーリングプラグ１１と電源カバー１４とを機械的に一体化したことにより、シーリングプラグ１１を含む周辺構造体の小型化及びコンパクト化するものである。
【００３６】
すなわち、シーリングプラグ１１の引掛爪１１ａ，１１ｂを保持する筐体を電源回路１２を搭載した電源回路基板１３を覆う筐体である電源カバー１４で機械的に共有して一体化することにより、電源回路基板１３を引掛爪１１ａ，１１ｂと直接電気的に接続することと相俟って、シーリングプラグ１１の専用の筐体を不要とし得て、シーリングプラグ１１を含む周辺構造体の小型化及びコンパクト化に貢献することができる。
【００３７】
また、接続具３に給電コード４の長さを調節するコード調節具１８を設けたことにより、細径化した給電コード４をコンパクトに収納することができる。
【００３８】
この際、コード調節具１８は、給電コード４の中途部をカバー１７の内部で纏める、例えば、巻付部２０ａに螺旋状に巻き付けたり、中空の巻付部２０ａの内部に折り返すように収納するように、カバー１７の内部に配置することにより、さらなるコンパクト化に貢献し得て、しかも、外観上の見栄えを向上することができる。
【００３９】
しかも、給電コード４の長さをカバー１７と照明装置本体２との距離Ｔに相当する有効長さを調節することにより、所望の高さの照明装置２とすることができる。
【００４０】
この際、電源回路１２を電源カバー１４の内部に配置して給電コード４の細径化を実現したことにより、コンパクトなカバー１７であっても、十分に給電コード４を収納することができる。
【００４１】
また、電源回路１２の部品をシーリングプラグ１１に当接させていることにより、シーリングプラグ１１を放熱部材として利用することができる。
【００４２】
また、以上既に述べた以外にも、上記実施の形態による手法を適宜組み合わせて利用しても良い。
【００４３】
その他、本発明は、その趣旨を逸脱しない範囲内において、種々の変更が加えられて実施されるものである。
【００４４】
図６及び図７は、本実施の形態に係る他の調節具を示す。上記実施の形態では、接続具３にコード調節具１８を設けたものを開示したが、上述したように、給電コード４を螺旋状に巻き取るほか、折り畳み状態でコード調節具１８に収納するほか、カバー１７の内部に単に収納するだけでもよい。以下、上記実施の形態の照明器具１の構成と同一の構成については、同一の符号を付してその詳細な説明は省略し、特有の構成についてのみを説明する。
【００４５】
図６及び図７に示すように、電源カバー３４には、コード調節具１８に対応する部材は形成しておらず、電源回路基板１３の下側を覆うロアカバー１４Ａと、電源回路基板１３の上側を覆うアッパカバー１４Ｂと、アッパカバー１４Ｂの上面中心に形成した開口を覆うと共に引掛爪１１ａ，１１ｂの先端部分を突出させた蓋体１４Ｃと、を有する単なる筐体としている。
【００４６】
シーリングプラグ１１と電源回路１２とを覆うカバー３７には、コード案内具２１及び締付具２３に変えて、給電コード４の直径よりも小径な貫通穴を有するゴム等の弾性体からなるパッキン３３を設け、給電コード４が照明装置本体２の重量等によって不測に引き出されないようになっている。
【００４７】
図７に示すように、給電コード４は、螺旋状の巻き取り状態でカバー３７の内部に単に収納するほか、蛇行状の折り畳み状態でカバー３７の内部に単に収納してもよい。また、カバー３７から突出した部分をパッキン３３の圧力に抗してカバー３７の内部に押し込むことによりカバー３７の内部に単に収納してもよい。
【００４８】
このような構成においても、シーリングプラグ１１と電源カバー１４とを機械的に一体化したことにより、シーリングプラグ１１を含む周辺構造体の小型化及びコンパクト化することができる。
【００４９】
以上説明したように、本発明に係る照明器具は、接続部材と電源カバーとを機械的に一体化することによって、接続部材を含む周辺構造体の小型化及びコンパクト化することができるという効果を有し、照明器具、特に、給電コードによって照明装置本体を吊り下げ状態で支持した照明器具全般に有用である。
【符号の説明】
【００５０】
１    照明器具
２    照明装置本体
３    接続具
４    給電コード
１１  シーリングプラグ（接続部材）
１２  電源回路
１４  電源カバー
１７  カバー
１８  コード調節具
【図１】
2017016899.tif 000003
【図２】
2017016899.tif 000004
【図３】
2017016899.tif 000005
【図４】
2017016899.tif 000006
【図５】
2017016899.tif 000007
【図６】
2017016899.tif 000008
【図７】
2017016899.tif 000009